(57)【要約】【課題】水漏れ防止効果に施工によるばらつきが生じず、耐久性に優れ、配管を安定した状態で固定できる配管立上げ構造を提供すること。【解決手段】洗い場側フロア１６の穴部１６ａに給湯管２３を起立させて支持する配管立上げ構造２０を設けた。そして、穴部１６ａに、内部に給湯管２３を通した固定部材３２を取り付けた。その給湯管２３に帯状のシール部材３０を巻き付けて、挿通穴２９ｂに継手２５を挿通させた蓋部材２９を固定部材３２の上端部に螺合させて、給湯管２３を起立状態で固定した。また、シール部材３０で固定部材３２内の各部分を閉塞した。シール部材３０は、円柱状のシール材を螺旋状に切断して形成した。また、固定部材３２に空間部２７ｅと係止用段部２７ａを設け、継手２５に突起２５ｂを設けた。シール部材３０の上面３０ａと下面３０ｂを高摩擦面にし切断部ａを低摩擦面にした。【選択図】  図３
2005030047.tif 000002
【特許請求の範囲】
【請求項１】
床面部に設けられた穴部に配管を通し、前記穴部の縁部と前記配管の外周部との間を塞いだ状態で前記配管を前記床面部上に起立させて支持する配管立上げ構造であって、
前記穴部の周縁部に密着した状態で前記穴部に取り付けられ、内部に前記配管を通すことができる円筒状の固定部材と、
前記配管を通すことができる挿通穴を備え、前記挿通穴に前記配管を挿通させた状態で前記固定部材の上端部に螺合できる蓋部材と、
前記配管の外周部に巻き付けられ、前記蓋部材を前記固定部材に螺合させる際に、前記蓋部材によって前記固定部材に押し付けられて、前記固定部材と前記配管との間および前記蓋部材と前記配管との間を閉塞する帯状のシール部材と
を備えたことを特徴とする配管立上げ構造。
【請求項２】
前記シール部材を、前記配管の外周部を囲うことのできる円柱状のシール材を螺旋状に切断して形成した請求項１に記載の配管立上げ構造。
【請求項３】
前記固定部材の内周面と前記配管の外周面との間に前記シール部材を配置するための空間部を設けるとともに、前記固定部材の内周面に前記シール部材の下端部を係止するための係止用段部を設けた請求項１または２に記載の配管立上げ構造。
【請求項４】
直径が前記蓋部材の挿通穴の直径よりも大きく設定されたフランジ状の突起を備えた継手を、前記蓋部材の上面側に前記突起を位置させた状態で、前記配管の上端部に接続した請求項１ないし３のうちのいずれか一つに記載の配管立上げ構造。
【請求項５】
前記配管の外周部に巻き付けられて円筒状になったシール部材における上端面と下端面とを高摩擦面に形成し、前記シール部材におけるシール部材同士が対向する面を低摩擦面に形成した請求項１ないし４のうちのいずれか一つに記載の配管立上げ構造。
【発明の詳細な説明】
【０００１】
【発明の属する技術分野】
本発明は、床面部に設けられた穴部を挿通して屋外側から屋内に延びる配管を床面部上で起立させた状態で支持する配管立上げ構造に関する。
【０００２】
【従来の技術】
従来から、浴室、トイレ、洗面所、台所等の家屋内の各場所には、水や湯を取り出すための蛇口や取水口が設けられている。この蛇口等は、屋外に設けられた水供給用の水道管から分離して屋内に水を供給するための配管に接続されており、この配管は床面部に設けられた穴部を通過して所定の場所まで延ばされている。このような配管としては、施工性や価格の面から一般に可撓性を有し安価な樹脂製の管が使用されている。
【０００３】
そして、配管における床面部の穴部に位置する部分は、穴部の周縁部との間に防水構造が設けられて水漏れが生じないようにされた状態で、床面部上に起立した姿勢で固定されている。このような配管の起立姿勢での固定と床面部に設けた穴部の水漏れ防止ができる配管立上げ構造として、ゴムパッキンとホースバンドとを用いたものがある（例えば、特許文献１参照）。
【０００４】
この配管立上げ構造では、床面部に設けた穴部に、配管挿通用の挿通穴を有するゴムパッキンを取り付け、配管の先端部を床面部の穴部とゴムパッキンの挿通穴とに通して床面部の上方に突出させている。そして、配管の外周部にゴムパッキンの挿通穴の近傍部分を巻き付け、その部分をホースバンドで締め付けることによって、配管を起立させた状態でゴムパッキンに固定している。
【０００５】
【特許文献１】
特開平１０−１５２８７３号公報
【０００６】
【発明が解決しようとする課題】
しかしながら、前述した従来の配管立上げ構造では、ホースバンドを取り付ける施工によって水漏れ防止効果にばらつきが生じ易いという問題がある。また、ゴムパッキンで配管を支持するためゴムパッキンに掛かる負担が大きくなり、長期間の使用により水漏れが生じることがあるという耐久性の問題もある。また、ゴムパッキンで配管を支持するため安定した状態で配管を固定することが難しい。このため、ゴムパッキンが配管の重量等によって下方に引っ張られると、ゴムパッキンが凹んでしまい、その凹みに水が溜まることがある。この結果、ゴムパッキンに汚れが生じやすくなるという問題もある。
【０００７】
【発明の概要】
本発明は、上記問題に対処するためになされたもので、その目的は、水漏れ防止効果に施工によるばらつきが生じず、耐久性に優れ、配管を安定した状態で固定できる配管立上げ構造を提供することである。
【０００８】
上記の目的を達成するため、本発明にかかる配管立上げ構造の構成上の特徴は、床面部に設けられた穴部に配管を通し、穴部の縁部と配管の外周部との間を塞いだ状態で配管を床面部上に起立させて支持する配管立上げ構造であって、穴部の周縁部に密着した状態で穴部に取り付けられ、内部に配管を通すことができる円筒状の固定部材と、配管を通すことができる挿通穴を備え、挿通穴に配管を挿通させた状態で固定部材の上端部に螺合できる蓋部材と、配管の外周部に巻き付けられ、蓋部材を固定部材に螺合させる際に、蓋部材によって固定部材に押し付けられて、固定部材と配管との間および蓋部材と配管との間を閉塞する帯状のシール部材とを備えたことにある。
【０００９】
前記のように構成した本発明の配管立上げ構造では、内部に配管を通す固定部材を床面部の穴部に密着状態で取り付けている。そして、その状態の固定部材の上端部に、配管を挿通穴に挿通させた蓋部材を螺合させている。すなわち、この配管立上げ構造では、配管における床面部を貫通する部分を固定部材と蓋部材とで覆っている。そして、帯状のシール部材を、配管の外周部における蓋部材の下方部分に巻き付けて、固定部材と配管との間および蓋部材と配管との間を閉塞している。
【００１０】
このシール部材は、蓋部材を固定部材に螺合させる際に、配管の外周部に強く巻き付けられるとともに、蓋部材と固定部材とによって上下方向に押し付けられて固定部材と配管との間および蓋部材と配管との間を閉塞する。これによって、配管と、固定部材および蓋部材との間からの水漏れが防止される。また、この場合のシール部材の取り付けは、配管における固定部材と蓋部材との間の部分にシール部材を巻き付けて、固定部材に蓋部材を螺合させるだけであるため容易であるとともに、施工によって水漏れ防止効果にばらつきが生じることがない。
【００１１】
さらに、シール部材は、配管の外周部に巻き付けられた状態で、蓋部材と固定部材とによって押し潰された状態で固定部材と配管との間および蓋部材と配管との間を閉塞するため、配管の大きさに関係なくどのような固定部材を用いても良好な水漏れ防止効果を発揮し得る。このため、固定部材の内径を最大サイズの配管に取り付けることができる大きさに設定しておけば、固定部材は一種類のものだけを用意すれば済む。
【００１２】
また、床面部の穴部は、穴部の周縁部に密着した状態で取り付けられた固定部材によって閉塞されるため、この部分からの水漏れも防止される。この場合の固定部材としては、例えば、穴部の周縁部上面に係合可能なフランジ状の突部を備えた円筒部と、円筒部の突部とで穴部の周縁部を挟んだ状態で円筒部の下端部に螺合可能なリング状のねじとで構成される部材を用いることができる。そして、穴部の周縁部と突部との間および穴部の周縁部とリング状のねじとの間にはシール材を取り付けておくことが好ましい。これによって、穴部の周縁部と固定部材との間をより確実にシールすることができる。
【００１３】
また、この配管立上げ構造によると、配管はシール部材によってシールされた状態で固定部材と蓋部材とによって支持されるため、配管を安定した状態で固定できる。このため、この配管立上げ構造の耐久性が向上し、その結果、低コスト化が可能になる。
【００１４】
また、本発明にかかる配管立上げ構造の他の構成上の特徴は、シール部材を、配管の外周部を囲うことのできる円柱状のシール材を螺旋状に切断して形成したことにある。これによると、シール部材を配管に巻き付けた状態でその上端部を蓋部材で押し付けると、シール部材は、周囲が密閉された状態の円柱状になるため、より効果的なシールができるようになる。また、シール部材の配管への取り付け作業も容易になる。また、シール部材を構成するシール材としては、伸縮性や弾性を有するプラスチックやゴムを使用することが好ましい。
【００１５】
本発明にかかる配管立上げ構造のさらに他の構成上の特徴は、固定部材の内周面と配管の外周面との間にシール部材を配置するための空間部を設けるとともに、固定部材の内周面にシール部材の下端部を係止するための係止用段部を設けたことにある。これによると、シール部材は、下端部を係止用段部に係止させた状態で上端部が蓋部材によって下方に押し付けられるため、空間部内で安定した姿勢を維持するようになる。このため効果的なシールが長期間にわたって行える。
【００１６】
また、本発明にかかる配管立上げ構造のさらに他の構成上の特徴は、直径が蓋部材の挿通穴の直径よりも大きく設定されたフランジ状の突起を備えた継手を、蓋部材の上面側に突起を位置させた状態で、配管の上端部に接続したことにある。これによると、配管は、上端部に接続された継手の突起を蓋部材の上方に位置させた状態で固定部材に固定されるため、下方にずれて行くことがなくなり、より安定した状態で固定される。このため、長期間にわたって効果的なシールが行える。
【００１７】
また、本発明にかかる配管立上げ構造のさらに他の構成上の特徴は、配管の外周部に巻き付けられて円筒状になったシール部材における上端面と下端面とを高摩擦面に形成し、シール部材におけるシール部材同士が対向する面を低摩擦面に形成したことにある。
【００１８】
これによると、蓋部材を固定部材に螺合させる際に、蓋部材の下面とシール部材の上端面との間およびシール部材の下端面とその部分に接触する固定部材の部分との間に滑りが生じ難くなる。また、螺旋状に形成されたシール部材のシール部材同士が接触する部分は滑りやすくなる。このため、シール部材は蓋部材の回転に追従して螺旋方向に伸びながら配管の周囲に巻き付けられて、固定部材と配管との間および蓋部材と配管との間を確実に閉塞する。これによって、確実な水漏れ防止が可能になる。また、この場合のシール部材における上端面と下端面との高摩擦面としては、粗面を形成することによって行うことができる。また、シール部材の低摩擦面としては、滑らかな摺面を形成したり、該当する部分に、グリスなどの潤滑剤を塗って形成したりすることができる。
【００１９】
【発明の実施の形態】
以下、本発明の一実施形態を図面を用いて説明する。図１は、本発明の配管立上げ構造を備えた浴室１０を示している。この浴室１０では、浴室１０内と屋外とを仕切る外側壁面パネル１１に窓１１ａが設けられており、床部における窓１１ａ側部分に浴槽１２が設置されている。そして、浴槽１２の左右（図１では前後）の側面は、左壁面パネル（図示せず）と右壁面パネル１３ａとで挟まれている。また、外側壁面パネル１１に対向する部分には、出入用扉（図示せず）を有する内側壁面パネル１３ｂが設けられ、天井部はドーム状の天井パネル１４で構成されている。
【００２０】
浴槽１２は、図２に示すように、浴槽側フロア１５の上面に設置されている。そして、浴槽側フロア１５の長手方向に沿った一方の縁部には、本発明の床面部としての洗い場側フロア１６が接続されている。また、洗い場側フロア１６の上面における右壁面パネル１３ａに沿った部分にカウンター１７が設けられ、カウンター１７の上方の壁面に鏡１８や収容棚１９等が設けられている。カウンター１７は、浴槽１２の上面部１２ａと略等しい高さに設定されている。
【００２１】
これらの浴室１０を構成する外側壁面パネル１１等の各パネル、浴槽１２、浴槽側フロア１５および洗い場側フロア１６等の各部分の本体部分は、それぞれ樹脂の成形体で構成されている。また、浴槽１２の上面部１２ａにおけるカウンター１７側の角部には、浴槽１２内に湯や水を取り出すための水栓２１が設けられ、カウンター１７の上方の壁面における鏡１８の下方には、カウンター１７で使う湯や水を取り出すための水栓２２が設けられている。
【００２２】
そして、洗い場側フロア１６におけるカウンター１７の下方部分には、水栓２１，２２に湯や水を供給するための本発明の配管としての給湯管２３および給水管２４を支持する配管立上げ構造２０がそれぞれ設けられている。給湯管２３および給水管２４は、ともに可撓性を有する樹脂製の管で構成されており、分配装置（図示せず）を介して屋外に設けられた水道管に連通している。そして、給湯管２３の通路内には加熱装置（図示せず）が設けられており、分配装置を介して水道管から送られる水は、この加熱装置を通過して加熱され給湯管２３を介して水栓２１，２２に供給される。また、給水管２４は、分配装置を介して水道管から送られる水を直接水栓２１，２２に供給する。
【００２３】
給湯管２３は、洗い場側フロア１６に設けられた穴部（図３参照）１６ａを通って洗い場側フロア１６の下方から上方に突出したところで継手２５に接続されている。継手２５は、給湯管２３と略等しい直径に設定された円筒部２５ａと円筒部２５ａの下端外周部に形成されたフランジ状の突起２５ｂとで構成されており、円筒部２５ａの内周面下部側には雌ねじ（図示せず）が設けられている。また、給湯管２３の上端部は細径に形成され、その細径部（図示せず）の外周面に継手２５の雌ねじと螺合する雄ねじが設けられている。このねじ同士の螺合により、給湯管２３と継手２５とは接続されている。
【００２４】
継手２５の上端部は、三方に分岐したＴ型継手２６ａの一方の開口に接続されている。そして、Ｔ型継手２６ａの他の２個の開口にそれぞれ分岐給湯管２３ａ，２３ｂが接続され、分岐給湯管２３ａの先端部が水栓２１に接続され、分岐給湯管２３ｂの先端部が水栓２２に接続されている。また、給水管２４も同様に継手２５および三方に分岐したＴ型継手２６ｂを介して分岐給水管２４ａ，２４ｂに接続されている。
【００２５】
そして、分岐給水管２４ａの先端部が水栓２１に接続され、分岐給水管２４ｂの先端部が水栓２２に接続されている。水栓２１，２２にはそれぞれ湯を取り出すための操作部と水を取り出すための操作部とが備わっており、取り出す湯や水に応じて対応する操作部を操作することにより任意の湯や水を取り出すことができる。
【００２６】
配管立上げ構造２０は、図３に示したように構成されている。この配管立上げ構造２０は、給湯管２３に取り付けられたものも給水管２４に取り付けられたものも同じ構成であるため、ここでは、給湯管２３に取り付けた配管立上げ構造２０について説明する。配管立上げ構造２０は、給湯管２３と、給湯管２３の上端部に接続された継手２５との接続部の近傍部分を支持するとともに、固定するアダプター本体２７、係合リング２８、蓋部材２９およびシール部材３０を備えている。
【００２７】
アダプター本体２７、係合リング２８および蓋部材２９は、１組で１個のアダプター３１を構成する金属製の部材であり、アダプター本体２７と係合リング２８とで本発明の固定部材３２が構成される。アダプター本体２７は、洗い場側フロア１６の穴部１６ａに取り付けることができ、内部に給湯管２３を通すことのできる円筒状に形成されている。そして、アダプター本体２７の内周面の下端部には中心側に突出した係止用段部２７ａが設けられ、外周面のやや上部側部分には外側に突出したフランジ状の突部２７ｂが設けられている。
【００２８】
また、アダプター本体２７の外周面における上部側部分と下部側部分とには、それぞれ雄ねじ２７ｃ，２７ｄが設けられている。係合リング２８は、内周面に、雌ねじ２８ａが設けられたリング状に形成され、雌ねじ２８ａを雄ねじ２７ｄに螺合させることにより、アダプター本体２７の下端部に取り付けられる。アダプター本体２７を上方から穴部１６ａに通して、突部２７ｂを洗い場側フロア１６の上面に位置させた状態で、アダプター本体２７の下方から係合リング２８をアダプター本体２７に取り付けることによりアダプター本体２７と係合リング２８とからなる固定部材３２を穴部１６ａに固定することができる。
【００２９】
この場合、洗い場側フロア１６の上面と突部２７ｂの下面との間には、リング状のパッキン３３を取り付け、洗い場側フロア１６の下面と係合リング２８の上面との間には、リング状のパッキン３４を取り付ける。これによって、穴部１６ａの周縁部と固定部材３２との間が密閉状態になる。
【００３０】
蓋部材２９は、内周面に雄ねじ２７ｃと螺合可能な雌ねじ２９ａが形成されたキャップ状に形成され、上面中央部に、給湯管２３を通すための挿通穴２９ｂが設けられている。このため、蓋部材２９の挿通穴２９ｂに給湯管２３を下方から通し、雌ねじ２９ａを雄ねじ２７ｃに螺合させることにより、蓋部材２９をアダプター本体２７の上端部に取り付けることができる。
【００３１】
シール部材３０は、伸縮可能で弾性を有する架橋ポリエチレンからなっており、通常時は、図４および図５に示したように、円筒体の上端外周の角部を切り欠いた形状になるように構成されている。そして、図６に示したように、シール部材３０の上端部と下端部とを引き離すようにして上下方向に引っ張ると、螺旋状の帯状になるように切断部ａが設けられている。このシール部材３０は、給湯管２３の外周部に巻き付いて給湯管２３を囲った状態で、アダプター本体２７の内部に形成された空間部２７ｅ内に収容できる大きさおよび形状に形成されている。また、シール部材３０の上端面３０ａと下端面３０ｂとは粗面に形成されて摩擦係数が大きくなっており、切断部ａの切断面は滑らかな摺面に形成されて摩擦係数が小さくなっている。
【００３２】
そして、アダプター本体２７の空間部２７ｅ内にシール部材３０を収容して、アダプター本体２７に蓋部材２９を取り付ける際に、シール部材３０は、蓋部材２９によって係止用段部２７ａ側に押し付けられて収縮した状態になる。また、シール部材３０は、蓋部材２９の回転によって、給湯管２３の外周部に強く巻き付けられる。このシール部材３０によって、給湯管２３と蓋部材２９との間および給湯管２３とアダプター本体２７との間が密閉される。
【００３３】
また、洗い場側フロア１６における給水管２４が設けられる部分にも穴部が設けられ、その穴部にアダプター本体２７や蓋部材２９等からなるアダプター３１と同一の構成からなるアダプター３５等が設けられている。このアダプター３５等によって給水管２４は起立した姿勢で固定される。
【００３４】
このように構成された配管立上げ構造２０の組み付けは、つぎのようにして行われる。まず、洗い場側フロア１６の穴部１６ａに固定部材３２を取り付けるための作業が行われる。この作業では、まず、洗い場側フロア１６の上面における穴部１６ａの周囲にパッキン３３を設置する。そして、そのパッキン３３の上面に突部２７ｂを合わせてアダプター本体２７の下部側部分を上方から穴部１６ａ内に通す。
【００３５】
つぎに、穴部１６ａの下方に突出したアダプター本体２７の下部側部分の外周部にパッキン３４を取り付け、その状態のアダプター本体２７の下部側部分に、雄ねじ２７ｄと雌ねじ２８ａとを螺合させることにより、係合リング２８を取り付ける。この雄ねじ２７ｄと雌ねじ２８ａとを強く締め付けることにより、固定部材３２はより強固に洗い場側フロア１６に固定され、穴部１６ａの周縁部と固定部材３２との間はより確実に密閉される。
【００３６】
つぎに、加熱装置を介して水道管側から延ばされてきた給湯管２３の先端部をアダプター本体２７の内部に通して、洗い場側フロア１６の下方側から上方側に向かって突出させる。ついで、給湯管２３における洗い場側フロア１６の上面から突出した部分にシール部材３０を巻き付け、その状態のシール部材３０を空間部２７ｅ内に収容する。つぎに、蓋部材２９の挿通穴２９ｂに給湯管２３を通して、給湯管２３の外周部に蓋部材２９を取り付ける。
【００３７】
そして、蓋部材２９を軸回りに回転させて、雄ねじ２７ｃと雌ねじ２９ａとを螺合させることにより、蓋部材２９をアダプター本体２７に取り付け、給湯管２３の先端部に継手２５を取り付ける。この際、シール部材３０は、蓋部材２９の回転にともなって絞られるようにして給湯管２３の外周部により強く巻き付けられる。また、雄ねじ２７ｃと雌ねじ２９ａとの螺合により下降してくる蓋部材２９によって、係止用段部２７ａ側に押し付けられて収縮した状態になる。このシール部材３０によって、給湯管２３と蓋部材２９との間および給湯管２３とアダプター本体２７との間が密閉される。
【００３８】
このようにして、給湯管２３の上端部は、水漏れを防止された状態で起立した姿勢に固定される。また、給水管２４の上端部も、同様にして、洗い場側フロア１６に固定される。そして、給湯管２３に接続された継手２５にＴ型継手２６ａを介して、分岐給湯管２３ａ，２３ｂを接続し、給水管２４に接続された継手２５にＴ型継手２６ｂを介して分岐給水管２４ａ，２４ｂを接続する。これによって、水道管と水栓２１，２２との間が接続され、水栓２１，２２は使用可能な状態になる。
【００３９】
入浴のために、浴槽１２内に湯を入れる場合には、まず、水栓２１が備える各操作部を操作して湯温を調節して水栓２１から湯を吐出させる。そして、湯面が適当な高さになったときに給湯を停止して入浴する。また、カウンター１７の前で、洗髪や体の洗浄をするために、湯や水を使用する場合には、水栓２２が備える各操作部を操作して、適度の温度に調節した湯や水を、水栓２２から取り出して使用する。
【００４０】
その際、給湯管２３は、配管立上げ構造２０によって起立姿勢を維持され、加熱装置側から送られる湯を、Ｔ型継手２６ａを介して分岐給湯管２３ａ，２３ｂに送る。また、給水管２４も、配管立上げ構造２０によって起立姿勢を維持され、水道管側から分配装置を介して直接送られる水を、Ｔ型継手２６ｂを介して分岐給水管２４ａ，２４ｂに送る。この際、給湯管２３や給水管２４は湯や水の供給による振動で移動することなく安定した状態に固定され、湯や水を水栓２１，２２に供給する。また、配管立上げ構造２０から給湯管２３や給水管２４の湯水が漏れることが防止される。
【００４１】
このように、本発明にかかる配管立上げ構造２０では、蓋部材２９をアダプター本体２７に取り付ける際に、給湯管２３や給水管２４の外周部に強く巻き付けられるとともに、蓋部材２９と係止用段部２７ａとによって上下方向に押し付けられるシール部材３０を用いている。これによって、給湯管２３と蓋部材２９との間および給湯管２３とアダプター本体２７との間が閉塞され、給湯管２３等とアダプター３１との間からの水漏れが防止される。また、洗い場側フロア１６の穴部１６ａは、固定部材３２とパッキン３３，３４によって閉塞されるため、この部分からの水漏れも防止される。
【００４２】
また、この場合のシール部材３０の取り付けは、給湯管２３等にシール部材３０を巻き付けて、アダプター本体２７に蓋部材２９を取り付けるだけであるため簡単であるとともに、施工によって水漏れ防止効果にばらつきが生じることがない。また、シール部材３０の上端面３０ａと下端面３０ｂとが高摩擦面に形成され、切断部ａの切断面が低摩擦面に形成されているため、シール部材３０はスムーズに給湯管２３等に巻き付けられる。
【００４３】
さらに、シール部材３０は、給湯管２３等に巻き付けられた状態で、蓋部材２９と係止用段部２７ａとによって押し潰された状態で給湯管２３と蓋部材２９との間および給湯管２３とアダプター本体２７との間を閉塞するため、給湯管２３等の大きさに関係なくどのようなアダプター３１を用いても良好な水漏れ防止効果を発揮し得る。
【００４４】
このため、アダプター３１を最大サイズの給湯管２３等に合わせて製造しておけば、アダプター３１は一種類の大きさのものだけで済む。また、シール部材３０が円筒状のシール材を螺旋状に切断して形成されたもので、通常時は、円筒状に維持されているため、給湯管２３等への取り付け作業が容易である。さらに、給湯管２３等に接続された継手２５に突起２５ｂが設けられているため、給湯管２３等を安定した状態で固定することができるとともに、給湯管２３等と継手２５との接続部の位置にずれが生じない。この結果、長期間にわたって効果的なシールが行える。
【００４５】
また、本発明による配管立上げ構造は、前述した実施形態以外についても技術的範囲内で適宜変更実施が可能である。例えば、前述した実施形態では、シール部材３０を架橋ポリエチレンで構成したが、このシール部材３０を構成する材料としては、クロロブレンゴムやエチレンプロピレンゴム等のゴムやその他伸縮可能な弾性材料で構成することができる。また、前述した実施形態では、シール部材３０を円筒状のシール材を螺旋状に切断して形成しているが、これに代えて直線状になった帯状のシール材を用いてもよい。
【００４６】
さらに、前述したシール部材３０では切断部ａの切断面を滑らかな摺面に形成することにより、低摩擦面を形成しているが、この部分にグリスなどの潤滑剤を塗布することにより低摩擦面を形成してもよい。また、グリスなどの潤滑剤を摩擦係数の低下のためだけでなく、シール効果を向上させるために用いることもできる。さらに、配管立上げ構造２０を構成する各部材の材料や構造についても適宜変更実施が可能である。また、前述した実施形態では、配管立上げ構造２０等を浴室１０で使用しているが、本発明にかかる配管立上げ構造は、浴室に限らず、トイレ、洗面所、台所等の湯や水を使用する種々の場所で使用することができる。
【図面の簡単な説明】
【図１】本発明の一実施形態による配管立上げ構造を備えた浴室を示した斜視図である。
【図２】配管立上げ構造が取り付けられた浴槽とカウンターとを示した断面図である。
【図３】配管立上げ構造を示した断面図である。
【図４】配管立上げ構造が備えるシール部材を示した平面図である。
【図５】図４に示したシール部材を示した正面図である。
【図６】図５に示したシール部材を上下方向に延ばした状態を示した正面図である。
【符号の説明】
１６…洗い場側フロア、１６ａ…穴部、２０…配管立上げ構造、２３…給湯管、２４…給水管、２５…継手、２５ｂ…突起、２７…アダプター本体、２７ａ…係止用段部、２７ｅ…空間部、２８…係合リング、２９…蓋部材、２９ｂ…挿通穴、３０…シール部材、３０ａ…上端面、３０ｂ…下端面、３１，３５…アダプター、３２…固定部材、３５…アダプター、ａ…切断部。
【図１】
2005030047.tif 000003
【図２】
2005030047.tif 000004
【図３】
2005030047.tif 000005
【図４】
2005030047.tif 000006
【図５】
2005030047.tif 000007
【図６】
2005030047.tif 000008